(57)【特許請求の範囲】
【請求項１】
左右の縦枠とこれらの縦枠の上端に設けられた上枠とで構成された金属製の枠体の内側に多数の木製ルーバーを配した木製ルーバー取り付け構造であって、前記金属製縦枠に前記木製ルーバーが金属製ブラケットにより取り付けられ、
前記木製ルーバーは、左右の縦枠間の長手方向長さを備えた略直方体形状であって、その左右端の下面には前記ブラケットの高さ寸法以上の深さの切り込みを備え、前記切り込み以外には前記ブラケットにより前記金属製縦枠に取り付けるための構造を備えず、
前記金属製縦枠は、中空の略四角柱形状であって、同じ高さ位置に前記縦枠の長手方向に長い長方形形状の縦長の穴が複数設けられており、
前記ブラケットは、
前記縦枠に着脱自在に設けられ、前記縦長の穴の幅よりも薄い厚みの平板部分を含み、
前記平板部分は、前記縦枠に取り付けられて木製ルーバーが取り付けられた状態での側面視で、横長の第１の長方形とその上辺よりも高い位置に上辺を備えた縦長の第２の長方形とを含み、
前記第１の長方形の縦幅および前記第２の長方形の横幅は前記縦長の穴の高さよりも小さく、
前記第２の長方形が前記第１の長方形の下方に位置する状態で前記縦長の穴に前記第２の長方形を挿入して、前記第１の長方形が横長になるように略９０度回転させて、前記第２の長方形の前記第１の長方形側の側辺端面を、前記縦長の穴よりも上方位置における縦枠の内壁面に当接させて前記ブラケットを前記縦枠に固定し、
前記木製ルーバーの切り込みの幅は前記ブラケットの厚みよりも同じか小さく、金属に対する木の相対的な変形容易な特性を用いて、前記木製ルーバーが前記ブラケットに嵌め込まれて前記木製ルーバーが前記ブラケットに固定される、木製ルーバー取り付け構造。
【請求項２】
前記ブラケットは、前記側面視で、横長の第１の長方形の下辺は前記縦長の第２の長方形の下辺よりも低い位置にあって、前記第２の長方形の下辺と前記第１の長方形の側辺とが交差する位置近傍には、前記縦枠の厚みに対応した凹部を備える、請求項１に記載の木製ルーバー取り付け構造。
【請求項３】
前記第２の長方形の四隅の角の中の前記第１の長方形とは逆側の角は、丸みを帯びてい
る、請求項１または請求項２に記載の木製ルーバー取り付け構造。
【請求項４】
前記第１の長方形の略中央に長穴を備える、請求項１〜請求項３のいずれかに記載の木製ルーバー取り付け構造。
【請求項５】
前記第１の長方形を含む平面と前記第２の長方形を含む平面とは交差する、請求項１〜請求項４のいずれかに記載の木製ルーバー取り付け構造。
【請求項６】
前記ブラケットを用いて前記縦枠に前記木製ルーバーが取り付けられた状態で、前記第２の長方形を含む平面は鉛直方向を向いており、前記第２の長方形を含む平面の一部が前記縦枠に設けられた前記縦長の穴よりも前記第１の長方形の側へ突出しており、前記木製ルーバーの左右端の下面に設けられた切り込みは前記突出した平面の一部に対応する凹部を備えることを特徴とする、請求項５に記載の木製ルーバー取り付け構造。
【請求項７】
請求項１〜請求項６のいずれかに記載の木製ルーバー取り付け構造を用いた、住宅の居室内に設置される住宅室内用構造体。
【請求項８】
住宅の居室内空間を複数の空間に区分するように設置される、請求項７に記載の住宅室内用構造体。
【発明の詳細な説明】
【技術分野】
【０００１】
本発明は、左右の縦枠とこれらの縦枠の上端に設けられた上枠とで構成された金属製の枠体の内側に多数の木製ルーバーを配した木製ルーバー取り付け構造に関し、特に、複雑でコストアップに繋がる部材を左右の縦枠に設けることを必要としないで、簡易な構造のブラケットを用いた木製ルーバー取り付け構造に関する。さらに、本発明は、このような木製ルーバー取り付け構造に用いるブラケット、および、その取り付け構造を用いた住宅室内用構造体に関する。
【背景技術】
【０００２】
住宅内外において空間を仕切るための住宅用構造体が知られている。このような住宅用構造体の一例として、たとえば、特開２０１４−１２５８４６号公報（特許文献１）は、住宅の内部と外部とをつないで、住宅でもなく庭でもない、あるいは、住宅でもあり庭でもある、という中間領域を創出し、庭の一部を住宅に取り込み、庭という開放空間が有していた自然の陽射しおよび外気によるクーリング作用を住宅に取り入れ、庭に住宅と同じ価値をもたせることによって、安心と十分な通風・日射の取り込みの双方を両立させ、快適な生活空間を確保することができる中間領域を創造するための構造を開示する。
【０００３】
この中間領域創出構造は、住宅の外壁の外側に、左右の縦枠とこれらの縦枠の上端に設けられた上枠とによって枠体を構成し、この枠体の内側には、上枠に沿って摺動可能で、左右の縦框と上下の横框とによって構成された框体の内側に多数のルーバーを配した上吊り式のルーバー付きスライドパネルを設けるとともに、上記上枠と上記外壁との間には屋根を設けたことを特徴とする。そして、ルーバー付きスライドパネルは、上下の横框と左右の縦框とによって組まれた方形の框体の内側に多数のルーバーを間隔をおいて平行に配置したもので、各ルーバーは開閉回動するようになっている。
【０００４】
ところで、このような中間領域創出構造を住宅の室内側に設けることも可能である。この場合、室内空間の一部を仕切ることができ、プライベートな半個室のような空間（Ｒｏｏｍ  ｉｎ  Ｒｏｏｍ）を実現することができる。この特許文献１には、ルーバーを回動させて開いた状態としたとき中間領域は外界に開放された空間となり庭的な存在となり、ルーバーを回動させて閉じた状態としたとき外からの視線を遮断し日光から中間領域を遮蔽することができるとの記載があるとともに、ルーバーは回動しなくてもよいとの記載がある。室内空間の一部を仕切る場合には、ルーバーを回動させて日光および通風量を調整する必要がないので、ルーバーを積極的に回動させる必要性は低い。
【０００５】
このような観点に基づくと、住宅の室内側にこのような構造物を設ける場合、ルーバー付きスライドパネルの框体の内側に多数のルーバーを間隔をおいて平行に固定して配置した構造物で構わない。この場合には、特許文献１に開示されるような複雑で高価な回動機構を必要としないのであるが、回動機構が不要な場合のルーバー付きスライドパネルの構造について特許文献１は開示していない。
【０００６】
ここで、本出願人は、住宅の室内側に木製の固定ルーバーを備えた構造体を製造するにあたり、金属製の左右の縦枠とこれらの縦枠の上端に設けられた上枠とによって枠体を構成し、多数の木製の固定ルーバーを受けるための薄板状のブラケットを左右の縦枠から内側に突き出すように溶接して製造した。より具体的には、左右の縦枠間の長手方向長さを備えた略直方体形状の木製ルーバーの少なくとも左右端の下面にブラケットの高さ寸法以上の深さの切り込みを設けて（ブラケットを用いて枠体に木製ルーバーの取り付けた後に下方から見てもブラケットが見えないように設定した深さの切り込みを木製ルーバーに設けて）、この切り込みを左右の縦枠から突設させたブラケットに係止させるようにして、枠体に多数のブラケットを取り付けるようにした。このような構造を備えることにより、金属枠と木製ルーバーとの間に隙間がないために、かつ、ブラケットが木製ルーバーで隠れて見えないために、金属枠と木製ルーバーとの一体感を実現することができて意匠的に非常に好ましい。特に、無垢のスギ材等で木製ルーバーを構成し、この木製ルーバーの色
彩にマッチする色彩で金属製の枠体を塗装することにより、金属枠と木製ルーバーとのより一層の一体感を実現することができる。なお、特許文献１は、このような金属枠と木製ルーバーとの一体感を実現できるルーバー付きスライドパネルを製造する技術を開示しない。
【先行技術文献】
【特許文献】
【０００７】
【特許文献１】特開２０１４−１２５８４６号公報
【発明の概要】
【発明が解決しようとする課題】
【０００８】
しかしながら、本出願人が製造した構造体は、ルーバーを設置する上下方向の最小間隔（ピッチ）で左右の縦枠にブラケットを溶接にて突設させているために、製造コストが上昇する。場合によっては、回動機構を備えないルーバー付きスライドパネルであるにも関わらず、回動機構を備えたルーバー付きスライドパネルと製造コストが逼迫することもある。また、たとえば、ルーバーをブラケット１個飛ばしで設置して、上下方向の間隔（ピッチ）を広めにする場合がある。この場合には、ルーバーを設置しない部分の縦枠にはブラケットが突設して見えるために、意匠的に好ましくない。
【０００９】
本発明は、従来技術の上述の問題点に鑑みて開発されたものであり、その目的とするところは、左右の縦枠とこれらの縦枠の上端に設けられた上枠とで構成された金属製の枠体の内側に多数の木製ルーバーを配した木製ルーバー取り付け構造であって、金属製の枠体と木製ルーバーとの一体感を実現しつつ、複雑でコストアップに繋がる部材を左右の縦枠に設けることを必要としないで、簡易な構造のブラケットを用いた木製ルーバー取り付け構造を提供することである。
【００１０】
さらに、本発明の目的とするところは、このような木製ルーバー取り付け構造に用いるブラケット、および、その取り付け構造を用いた住宅室内用構造体を提供することである。
【課題を解決するための手段】
【００１１】
上記目的を達成するため、本発明に係る木製ルーバー取り付けブラケットは、以下の技術的手段を講じている。
すなわち、本発明に係るブラケットは、左右の縦枠とこれらの縦枠の上端に設けられた上枠とで構成された金属製の枠体の内側に多数の木製ルーバーを配した木製ルーバー取り付け構造において前記縦枠に前記木製ルーバーを取り付けるブラケットである。前記木製ルーバーは、左右の縦枠間の長手方向長さを備えた略直方体形状であって、その左右端の下面には前記ブラケットの高さ寸法以上の深さの切り込みを備える。左右の縦枠は中空の略四角柱形状であって、同じ高さ位置に前記縦枠の長手方向に長い長方形形状の縦長の穴が複数設けられている。そして、前記ブラケットは、前記縦枠に着脱自在に設けられ、前記縦長の穴の幅および前記切り込みの幅よりも薄い厚みの平板であって、前記平板の平面形状は、前記縦枠に取り付けられて木製ルーバーが取り付けられた状態での側面視で、横長の第１の長方形とその上辺よりも高い位置に上辺を備えた縦長の第２の長方形とにより一体的に構成された形状を備え、前記第１の長方形の縦幅および前記第２の長方形の横幅は前記縦長の穴の高さよりも小さい。このような前記ブラケットを、前記第２の長方形が前記第１の長方形の下方に位置する状態で前記縦長の穴に前記第２の長方形を挿入して、前記第１の長方形が横長になるように略９０度回転させて、前記第２の長方形の前記第１の長方形側の側辺端面を、前記縦長の穴よりも上方位置における縦枠の内壁面に当接させて前記ブラケットを前記縦枠に固定する。
【００１２】
好ましくは、前記ブラケットは、前記側面視で、横長の第１の長方形の下辺は前記縦長の第２の長方形の下辺よりも低い位置にあって、前記第２の長方形の下辺と前記第１の長方形の側辺とが交差する位置近傍には、前記縦枠の厚みに対応した凹部を備えるように構成することができる。
さらに好ましくは、前記第２の長方形の四隅の角の中の前記第１の長方形とは逆側の角は、丸みを帯びているように構成することができる。
【００１３】
さらに好ましくは、前記第１の長方形の略中央に長穴を備えるように構成することができる。
さらに好ましくは、前記第１の長方形を含む平面と前記第２の長方形を含む平面とは交差するように構成することができる。
また、本発明の別の観点に係る木製ルーバー取り付け構造は、上述したブラケットを用いた、左右の縦枠とこれらの縦枠の上端に設けられた上枠とで構成された金属製の枠体の内側に多数の木製ルーバーを配した木製ルーバー取り付け構造である。
【００１４】
また、本発明のさらに別の観点に係る住宅室内用構造体は、上述した木製ルーバー取り付け構造を用いた構造体であって、住宅の居室内に設置される。好ましくは、この構造体は、住宅の居室内空間を複数の空間に区分するように設置される。
【発明の効果】
【００１５】
本発明に係る木製ルーバー取り付け構造によると、金属製の枠体と木製ルーバーとの一体感を実現しつつ、複雑でコストアップに繋がる部材を左右の縦枠に設けることを必要としないで、簡易な構造のブラケットを用いた木製ルーバー取り付け構造を提供することができる。さらに、このような木製ルーバー取り付け構造に用いるブラケット、および、その取り付け構造を用いた住宅室内用構造体を提供することができる。
【図面の簡単な説明】
【００１６】
【図１】本発明の実施の形態に係る住宅室内用構造体の斜視図である。
【図２】図１の住宅室内用構造体の２方向の立面図である。
【図３】図１の住宅室内用構造体を構成する縦枠の６面図（Ａ）および拡大図（Ｂ）である。
【図４】図１の住宅室内用構造体に使用されるブラケットの３面図（Ａ）および斜視図（Ｂ）である。
【図５】図４のブラケットを縦枠に取り付けて木製ルーバーを縦枠に取り付ける場合の手順を示す側面図である。
【図６】図４のブラケットを縦枠に取り付けて木製ルーバーを縦枠に取り付ける場合の手順を示す斜視図である。
【図７】本発明の実施の形態の変形例（第１の変形例）に係る住宅室内用構造体を示す斜視図である。
【図８】本発明の実施の形態の変形例（第２の変形例）に係るブラケットを示す斜視図（Ａ）、この変形例に係るブラケットを用いた木製ルーバーの取り付け構造を示す側面図（Ｂ）および斜視図（Ｃ）である。
【発明を実施するための形態】
【００１７】
本発明の実施の形態である、木製ルーバー１６０を取り付けるためのブラケット１４０、そのブラケット１４０を用いた取り付け構造およびその取り付け構造を用いた住宅室内用構造体１００を、以下に示す図面に基づき詳しく説明する。
図１は本実施の形態に係る住宅室内用構造体１００の斜視図であって、図２（Ａ）は図１の矢示Ａ方向から見た住宅室内用構造体１００の立面図、図２（Ｂ）は図１の矢示Ｂ方向から見た住宅室内用構造体１００の立面図である。図３は住宅室内用構造体１００を構成する縦枠１３０（中間縦枠１３０Ｍ）の６面図（Ａ）および拡大図（Ｂ）であって、図４は住宅室内用構造体１００に使用されるブラケット１４０の３面図（Ａ）および斜視図（Ｂ）であって、図５および図６はブラケット１４０を縦枠１３０に取り付けて木製ルーバー１６０を縦枠１３０に取り付ける場合の手順を示す（取付構造を説明するための）側面図および斜視図である。
【００１８】
＜概略構造＞
図１、図２に示すように、住宅室内用構造体１００は、左右の縦枠１３０（より詳しくは中間縦枠１３０Ｍ、コーナー縦枠１３０Ｒ、中間開口縦枠１３０Ｓであるがこれらを縦枠１３０で代表させる）とこれらの縦枠１３０の上端に設けられた上枠１３０Ｕとで構成された金属製の枠体の内側に多数の木製ルーバー１６０を配した木製ルーバー取り付け構造を備えた構造物である。この木製ルーバー取り付け構造において、縦枠１３０に木製ル
ーバー１６０を取り付けるためにブラケット１４０が用いられる。そして、このような木製ルーバー取り付け構造を用いて、たとえば、住宅の居室内に設置される住宅室内用構造体１００が構成され、住宅室内用構造体１００は、たとえば、住宅の居室内空間を複数の空間に区分するように設置される。
【００１９】
図４、図５に示すように、木製ルーバー１６０は、左右の縦枠１３０間の長手方向長さを備えた略直方体形状であって、その左右端の下面にはブラケット１４０の高さ寸法Ｌ（１１）以上の深さＬ（２１）の切り込み１６２を厚みＬ（２３）方向の中央近傍に備える。この木製ルーバー１６０の長手方向に垂直な断面形状は、図６（Ｂ）に示すように全高（Ｌ（２１）＋Ｌ（２２））、厚みＬ（２３）の形状であって、全高（Ｌ（２１）＋Ｌ（２２））＞厚みＬ（２３）である縦長の断面形状である。なお、ここでは、木製ルーバー１６０の加工上の理由から、木製ルーバー１６０の下面の全長に亘って切り込み１６２が設けられている。また、図３に示すように、左右の縦枠１３０は中空の略四角柱形状であって、同じ高さ位置に縦枠１３０の長手方向に長い長方形形状の縦長の穴１３２が複数設けられている。
【００２０】
そして、ブラケット１４０は、以下のような特徴を備える。ブラケット１４０は、縦枠１３０に着脱自在に設けられ、縦長の穴の幅Ｗ（０）および切り込み１６２の幅Ｌ（２４）よりも薄い厚みの金属製の平板であって、その平板の平面形状は、縦枠１３０に取り付けられて木製ルーバー１６０が取り付けられた状態での側面視（図４（Ａ）、図５（Ｄ）の状態で以下においては単に側面視と記載する場合がある）で、大きくは横長の第１の長方形１４０Ａ（図４（Ａ）に示すＡ部）とその上辺よりも高い位置に上辺を備えた縦長の第２の長方形１４０Ｂ（図４（Ａ）に示すＢ部）とにより一体的に構成された形状を備える。第１の長方形１４０Ａの縦幅Ｌ（１）および第２の長方形１４０Ｂの横幅Ｌ（２）は縦長の穴１３２の高さＬ（０）よりも小さい。さらに、ここでは、第１の長方形１４０Ａの縦幅Ｌ（１）よりも第２の長方形１４０Ｂの横幅Ｌ（２）が小さい。
【００２１】
このような構造を備えたブラケット１４０は、図５、図６に示すように、第２の長方形１４０Ｂが第１の長方形１４０Ａの下方に位置する状態で縦長の穴１３２に第２の長方形１４０Ｂを挿入して（図５（Ａ）、図６（Ａ））、第１の長方形１４０Ａが横長になるように略９０度ブラケット１４０を回転させて（図５（Ｂ）、図６（Ｂ））、第２の長方形１４０Ｂの第１の長方形１４０Ａ側の側辺端面１４４Ａを、縦長の穴１３２よりも上方位置における縦枠１３０の内壁面に当接させてブラケット１４０を縦枠１３０に固定し（図５（Ｃ）、図６（Ｃ））、第１の長方形１４０Ａに切り込み１６２を挿入することにより縦枠１３０に固定されたブラケット１４０に木製ルーバーを取り付ける（図５（Ｄ）、図６（Ｄ））、木製ルーバー取付構造を備える。
【００２２】
ここで、ブラケット１４０においては、側面視で、横長の第１の長方形１４０Ａの下辺は縦長の第２の長方形１４０Ｂの下辺よりも低い位置にあって、第２の長方形１４０Ｂの下辺と第１の長方形１４０Ａの側辺とが交差する位置近傍には、縦枠１３０の壁面の厚みＴ（０）に対応した凹部１４８を備える。さらに、ブラケット１４０においては、側面視で、第２の長方形１４０Ｂの四隅の角の中の第１の長方形１４０Ａとは逆側の角は、丸み１４６を帯びている。さらに、ブラケット１４０は、側面視で、第１の長方形１４０Ａの略中央に長穴１５０を備える。
＜詳細構造＞
以上のような特徴を備えたブラケット１４０およびそのブラケット１４０を用いた取り付け構造およびその取り付け構造を用いた住宅室内用構造体１００について、さらに詳しく説明する。
【００２３】
・住宅室内用構造体１００
図１、図２に示すように、この住宅室内用構造体１００は、住宅の居室内空間を複数の空間に区分するように設置される。この住宅室内用構造体１００は、開口なし壁面１１０と開口あり壁面１２０とで構成され、開口なし壁面１１０および開口あり壁面１２０はそれぞれ４ユニット（木製ルーバー１６０の長手方向長さ分を１ユニットとして）を連結して構成されている。なお、図１には示していないが、開口なし壁面１１０および開口あり
壁面１２０の対面側にもそれぞれ開口なし壁面１１０が設けられており、合計１６ユニットで４面を構成している。ここで、図１、図２に現れているままに、この住宅室内用構造体１００は、２面の合計８ユニットで構成しても構わない。
【００２４】
開口なし壁面１１０は、端部ユニット１１２と中間ユニット１１４（２ユニット）とコーナーユニット１１６とで構成され、開口あり壁面１２０は、コーナーユニット１２２と中間ユニット１２４（２ユニット）と端部ユニット１２６とで構成され、いずれのユニットも左右の縦枠１３０（より詳しくは中間縦枠１３０Ｍ、コーナー縦枠１３０Ｒ、中間開口縦枠１３０Ｓ）とこれらの縦枠１３０の上端に設けられた上枠１３０Ｕとで構成された金属製の枠体の内側に多数の木製ルーバー１６０を配した木製ルーバー取り付け構造を備える。
【００２５】
図１の矢示Ａ方向から見た図２（Ａ）に示す立面図および図１の矢示Ｂ方向から見た図２（Ｂ）に示す立面図に示すように（図１および図２はともに４面構成で合計１６ユニットの住宅室内用構造体１００を図示するものとする）、端部ユニット１１２、コーナーユニット１１６、コーナーユニット１２２および端部ユニット１２６については、左右の縦枠１３０の一方がコーナー縦枠１３０Ｒであってもう一方が中間縦枠１３０Ｍとなっており、中間ユニット１１４については左右双方とも中間縦枠１３０Ｍとなっており、中間ユニット１２４については、左右の縦枠１３０の一方が中間縦枠１３０Ｍであってもう一方が中間開口縦枠１３０Ｓとなっている。このように、縦枠１３０（中間縦枠１３０Ｍ、コーナー縦枠１３０Ｒ、中間開口縦枠１３０Ｓ）は隣り合うユニットで共用している。
【００２６】
さらに、図２に示すように、縦枠１３０の下端には下枠１３０Ｄまたは開口下枠１３０Ｃが設けられるようにしても構わない。上枠１３０Ｕ、下枠１３０Ｄおよび開口下枠１３０Ｃは、左右の縦枠１３０（より詳しくは中間縦枠１３０Ｍ、コーナー縦枠１３０Ｒ、中間開口縦枠１３０Ｓ）を介して連結されて隣接するユニットどうしが連結されている。さらに、図示しないが、強度向上のための筋交いを設けることも好ましい。なお、本発明は、上述した特徴を備えたブラケット１４０およびそのブラケット１４０を用いた取り付け構造に特徴があって、ブラケット１４０自体以外、および、そのブラケット１４０を縦枠１３０に着脱自在に設けてそのブラケット１４０に木製ルーバー１６０を取り付ける構造以外については、上述した構成に限定されるものではなく、上述した住宅室内用構造体１００の構成は一例でしかない。
【００２７】
・縦枠１３０
図３を参照して、このブラケット１４０を用いた取り付け構造が適用される縦枠１３０について説明する。図３に示す縦枠１３０は中間縦枠１３０Ｍであるが、本発明に係る木製ルーバーの取付構造に大きく関係するのは縦枠１３０に設けられた縦長の穴１３２であって、この縦長の穴１３２については、中間縦枠１３０Ｍ、コーナー縦枠１３０Ｒ、中間開口縦枠１３０Ｓで共通し、縦枠自体はその長さ（高さ方向寸法）ならびに上枠１３０Ｕ、下枠１３０Ｄおよび開口下枠１３０Ｃとの連結構造が異なるだけであるので、以下においては、中間縦枠１３０Ｍを縦枠１３０を代表させて説明する。
【００２８】
図３（Ａ）にその６面図を示すように、縦枠１３０は所望の強度を備えた金属製の中空の略四角柱形状であって、同じ高さ位置に縦枠１３０の長手方向に長い長方形形状の縦長の穴１３２が複数設けられている。そして、縦長の穴１３２は、高さＬ（Ｏ）および幅Ｗ（０）の長方形形状であって、図５（Ｄ）に示すように、縦枠１３０は、厚みＴ（０）を備えた中空の略四角柱である。なお、通常、縦枠１３０の幅Ｗ（１）は木製ルーバー１６０の厚みＬ（２３）よりも長く、木製ルーバー１６０の左右端面が縦枠１３０の幅Ｗ（１）からはみ出すことはない。さらに、縦長の穴１３２のピッチＰ（間隔）は、後述する手順により縦枠１３０に取り付けられたブラケット１４０に木製ルーバー１６０を取り付けることができる間隔である。
【００２９】
・ブラケット１４０
次に、図４〜図６を参照して、ブラケット１４０について詳しく説明する。
上述したように、このブラケット１４０は、大きくは、側面視（図４（Ａ）、図５（Ｄ）の状態）で、横長の第１の長方形１４０Ａ（図４（Ａ）に示すＡ部）とその上辺よりも
高い位置に上辺を備えた縦長の第２の長方形１４０Ｂ（図４（Ａ）に示すＢ部）とにより一体的に構成された平面形状を備え、第１の長方形１４０Ａの縦幅Ｌ（１）および第２の長方形１４０Ｂの横幅Ｌ（２）は縦長の穴１３２の高さＬ（０）よりも小さい。なお、図４においては、第１の長方形１４０Ａ（図４（Ａ）に示すＡ部）を構成する平板を第１の平板１４２、第２の長方形１４０Ｂ（図４（Ａ）に示すＢ部）を構成する平板を第２の平板１４４と記している。
【００３０】
このように、横長の第１の長方形１４０Ａ（図４（Ａ）に示すＡ部）の上辺よりも高い位置に縦長の第２の長方形１４０Ｂ（図４（Ａ）に示すＢ部）の上辺が存在するために、図５（Ｄ）、図６（Ｄ）に示すように、このブラケット１４０が縦枠１３０に取り付けられると、側面視で、第２の長方形１４０Ｂの第１の長方形１４０Ａ側の側辺端面１４４Ａが、縦長の穴１３２よりも上方位置における縦枠１３０の内壁面に当接されるのでブラケット１４０を縦枠１３０に安定的に固定することができる。
【００３１】
また、このように第１の長方形１４０Ａの縦幅Ｌ（１）および第２の長方形１４０Ｂの横幅Ｌ（２）は縦長の穴１３２の高さＬ（０）よりも小さいために、図５（Ａ）、図６（Ａ）に示すように、このブラケット１４０を縦枠１３０の縦長の穴１３２に容易に挿入することができる。
そして、本実施の形態に係るブラケット１４０においては、側面視で、横長の第１の長方形１４０Ａの下辺は縦長の第２の長方形１４０Ｂの下辺よりも低い位置にあって、第２の長方形１４０Ｂの下辺と第１の長方形１４０Ａの側辺とが交差する位置近傍には、縦枠１３０の壁面の厚みＴ（０）に対応した凹部１４８を備えるために、図５（Ｄ）、図６（Ｄ）に示すように、このブラケット１４０が縦枠１３０に取り付けられると、側面視で、凹部１４８が縦枠１３０の壁面の厚みＴ（０）部分に嵌合するのでブラケット１４０を縦枠１３０に安定的に固定することができる。さらに、第１の長方形１４０Ａの第２の長方形１４０Ｂ側の側辺端面１４８Ａが、縦長の穴１３２よりも下方位置における縦枠１３０の外壁面に当接されるのでブラケット１４０を縦枠１３０に安定的に固定することができる。
【００３２】
そして、本実施の形態に係るブラケット１４０においては、側面視で、第１の長方形１４０Ａの縦幅Ｌ（１）よりも第２の長方形１４０Ｂの横幅Ｌ（２）が小さく、さらに、第２の長方形１４０Ｂの四隅の角の中の第１の長方形１４０Ａとは逆側の角は、丸み１４６を帯びているために、図５（Ｂ）、図６（Ｂ）に示すように、縦枠１３０の内壁に干渉することを避けて、かつ、大きな内部スペースを備えた縦枠を用いる必要を避けて、ブラケット１４０を矢示Ｒ方向へ容易に略９０度回転（自転）させることができる。
【００３３】
このような構造は、縦枠１３０の縦長の穴１３２の高さＬ（０）を小さくする作用効果にも関連する。すなわち、縦長の穴１３２の高さＬ（０）は、ブラケット１４０を縦枠１３０に取り付けた後の安定性を向上させるためには、
（ａ）側辺端面１４４Ａと縦長の穴１３２よりも上方位置における縦枠１３０の内壁面との当接長さ、
（ｂ）側辺端面１４８Ａと縦長の穴１３２よりも下方位置における縦枠１３０の外壁面との当接長さ、
がともに長い方が好ましい。このため、縦長の穴１３２の高さＬ（０）は、第１の長方形１４０Ａの縦幅Ｌ（１）よりも少し大きい程度にとどめて小さく設定することが好ましい。この場合、上述したように、第１の長方形１４０Ａの縦幅Ｌ（１）よりも第２の長方形１４０Ｂの横幅Ｌ（２）が小さいので、Ｌ（２）＜Ｌ（１）＜Ｌ（０）となり、図５（Ａ）、図６（Ａ）に示すようなブラケット１４０の方向で縦長の穴１３２に第２の長方形１４０Ｂを挿入することができる。そして、図５（Ｂ）に示すように接合線上の点１４４Ｂが縦長の穴１３２の上端に近接して点１４４Ｂを中心としてブラケット１４０が９０度矢示Ｒ方向に回転（自転）する。この場合において、図４（Ａ）に示す仮想曲線Ｚ（点１４４Ｂを中心に半径Ｌ（１）の１／４円弧）がブラケット１４０の最下点の軌跡となり、Ｌ（１）＜Ｌ（０）であるために、縦長の穴１３２の高さＬ（０）を第１の長方形１４０Ａの縦幅Ｌ（１）よりも少し大きい程度であっても、ブラケット１４０を９０度矢示Ｒ方向
に回転（自転）させることができる。このように、ブラケット１４０において、Ｌ（２）＜Ｌ（１）であるために、かつ、丸み１４６を帯びているために、Ｌ（０）をＬ（１）から大きくする必要がなく上記の（ａ）（ｂ）を実現でき、かつ、縦枠１３０の内部スペースを大きくする必要がなく細い縦枠１３０を実現できる。
【００３４】
さらに、ブラケット１４０は、側面視で、第１の長方形１４０Ａの略中央に長穴１５０を備える。この長穴１５０を備えることにより、木製ルーバー１６０の厚み方向に穴を貫通させて、この長穴１５０に接合部材（たとえばボルトとナットとの組合せ）を通して木製ルーバー１６０をブラケット１４０に強固に固定することができる。なお、通常は、木製ルーバー１６０の切り込み１６２の幅Ｌ（２４）をブラケット１４０の厚みＴ（１）よりも同じか少し小さめにしておいて、木製ルーバー１６０の材質である木材の変形容易な特性（金属に対する相対的な変形容易な特性）を用いて、木製ルーバー１６０をブラケット１４０にきつめに嵌め込むだけで、木製ルーバー１６０をブラケット１４０に固定することができる。さらに、この長穴１５０を備えることにより、ブラケット１４０の軽量化を図ることもできる。
【００３５】
＜取付詳細＞
このような構造を備えた縦枠１３０、ブラケット１４０および木製ルーバー１６０は、図５、図６に示すように、ブラケット１４０の第２の長方形１４０Ｂが第１の長方形１４０Ａの下方に位置する状態で縦枠１３０の縦長の穴１３２に第２の長方形１４０Ｂを挿入して（図５（Ａ）、図６（Ａ））、第１の長方形１４０Ａが横長になるように略９０度ブラケット１４０を回転（自転）させて（図５（Ｂ）、図６（Ｂ））ブラケット１４０を縦枠１３０に固定して、縦枠１３０に固定されたブラケット１４０の第１の長方形１４０Ａの部分にブラケット１４０の上方から鉛直下方へ木製ルーバー１６０を降下させて（図５（Ｃ）、図６（Ｃ））、ブラケット１４０に木製ルーバー１６０を取り付ける（図５（Ｄ）、図６（Ｄ））、木製ルーバー取付構造を備える。
【００３６】
以下において、この木製ルーバー取付構造を実現する取付手順を詳細に説明する。なお、以下においては、住宅室内用構造体１００のユニット自体の構造は完成しているものとして説明する。すなわち、開口なし壁面１１０、開口あり壁面１２０ともに、縦枠１３０にブラケット１４０を取り付ける手前までの構造は完成しているものとして説明する。ただし、縦枠１３０にブラケット１４０および木製ルーバー１６０を全て取り付けてから、縦枠１３０を上枠１３０Ｕ等に連結して、開口なし壁面１１０、開口あり壁面１２０を完成させるようにしても構わない。
【００３７】
・ブラケット挿入ステップ
図５（Ａ）、図６（Ａ）に示すように、ブラケット１４０の第２の長方形１４０Ｂが第１の長方形１４０Ａの下方に位置する状態でブラケット１４０を縦枠１３０の縦長の穴１３２に矢示Ｓ方向に接近させて、縦枠１３０の縦長の穴１３２に第２の長方形１４０Ｂを挿入する。この場合において、ブラケット１４０の厚みＴ（１）は縦長の穴１３２の幅Ｗ（０）よりも小さく（Ｔ（１）＜Ｗ（０））、かつ、第２の長方形１４０Ｂの横幅Ｌ（２）は縦長の穴１３２の高さＬ（０）よりも小さい（Ｌ（２）＜Ｌ（０））ために、図５（Ａ）、図６（Ａ）に示すように、このブラケット１４０を縦枠１３０の縦長の穴１３２に容易に矢示Ｓ方向へ挿入することができる。なお、第１の長方形１４０Ａの長辺端面が縦枠１３０の外壁面に当接するまで、ブラケット１４０を縦長の穴１３２に挿入する。このとき、このブラケット１４０の点１４４Ｂが縦長の穴１３２の上端に接近または当接している状態が実現できる。
【００３８】
・ブラケット回転ステップ
次に、図５（Ｂ）、図６（Ｂ）に示すように、ブラケット１４０の点１４４Ｂを縦長の穴１３２の上端に接近または当接させた状態で、点１４４Ｂを中心としてブラケット１４０を９０度矢示Ｒ方向に回転（自転）させる。この場合において、図４（Ａ）に示す仮想曲線Ｚ（点１４４Ｂを中心に半径Ｌ（１）の１／４円弧）がブラケット１４０の最下点の軌跡となるために（丸み１４６を帯びているために）、および、縦長の穴１３２の高さＬ（０）は、第１の長方形１４０Ａの縦幅Ｌ（１）よりも少し大きいために（Ｌ（１）＜Ｌ
（０））、縦長の穴１３２の高さＬ（０）を第１の長方形１４０Ａの縦幅Ｌ（１）よりも少しだけ大きい程度であっても、ブラケット１４０を９０度矢示Ｒ方向に回転（自転）させることができる。さらに、縦長の穴１３２の高さＬ（０）は、第１の長方形１４０Ａの縦幅Ｌ（１）よりも少し大きいために（Ｌ（１）＜Ｌ（０））、ブラケット１４０を９０度まで矢示Ｒ方向に回転（自転）させることができる。
【００３９】
そして、ブラケット１４０の凹部１４８を縦枠１３０の壁面の厚みＴ（０）部分に嵌合させる。このように凹部１４８を厚みＴ（０）部分に嵌合させることにより、ブラケット１４０を縦枠１３０に安定的に固定することができるとともに、ブラケット１４０が容易に矢示Ｒの逆方向へ回転（自転）することを回避することができる。このようにブラケット１４０を９０度まで矢示Ｒ方向に回転（自転）させて凹部１４８を厚みＴ（０）部分に嵌合させると、第２の長方形１４０Ｂの第１の長方形１４０Ａ側の側辺端面１４４Ａが、縦長の穴１３２よりも上方位置における縦枠１３０の内壁面に当接されるとともに、第１の長方形１４０Ａの第２の長方形１４０Ｂ側の側辺端面１４８Ａが、縦長の穴１３２よりも下方位置における縦枠１３０の外壁面に当接されるために、ブラケット１４０を縦枠１３０にさらに安定的に固定することができる。なお、側辺端面１４４Ａと縦枠１３０の内壁面との当接、および、側辺端面１４８Ａと縦枠１３０の外壁面との当接のいずれか一方しか実現できない場合には、側辺端面１４４Ａと縦枠１３０の内壁面との当接が優先される。
【００４０】
・木製ルーバー装着ステップ
次に、図５（Ｃ）、図６（Ｃ））に示すように、左右両側の縦枠１３０に固定されたブラケット１４０の第１の長方形１４０Ａの部分に、ブラケット１４０の上方から鉛直下方へ木製ルーバー１６０を略平行（木製ルーバー１６０が上枠１３０Ｕに略平行かつ切り込み１６２が第１の長方形１４０Ａを構成する第１の平板１４２に略平行）に矢示Ｄ方向へ降下させる。この場合において、木製ルーバー１６０の切り込み１６２の幅Ｌ（２４）はブラケット１４０の厚みＴ（１）よりも同じか少し小さめであるために、木製ルーバー１６０の材質である木材の変形容易な特性が作用して、きつめに嵌め込むだけで、木製ルーバー１６０をブラケット１４０に固定することができる。このとき、木製ルーバー１６０の切り込み１６２の上面がブラケット１４０の第１の長方形１４０Ａの長辺端面に当接するまで矢示Ｄ方向へ木製ルーバー１６０を降下させる。この状態を、図５（Ｄ）、図６（Ｄ）に示す。
【００４１】
ここで、木製ルーバー１６０は、その少なくとも左右端の下面（ここでは下面全長）にブラケット１４０の高さ寸法Ｌ（１１）以上の深さＬ（２１）の切り込み１６２を備えているので（Ｌ（１１）≦Ｌ（２１））、図５（Ｄ）、図６（Ｄ）に示すように、ブラケット１４０の第１の長方形１４０Ａは木製ルーバー１６０の切り込み１６２により外部から見えにくくなる。
【００４２】
さらに、木製ルーバー１６０の切り込み１６２上端から木製ルーバー１６０上面までの長さＬ（２２）を、ブラケット１４０の凹部１４８が縦枠１３０の壁面の厚みＴ（０）部分に嵌合したときに発生するブラケット１４０の点１４４Ｂと縦枠１３０の縦長の穴１３２の上端との隙間の長さＬ（３１）よりも長く設定しておくことにより（Ｌ（３１）＜Ｌ（２２））、図５（Ｄ）、図６（Ｄ）に示すように、ブラケット１４０と縦長の穴１３２の上端との隙間は木製ルーバー１６０により外部から見えなくなる。
【００４３】
さらに、木製ルーバー１６０の長手方向長さを縦枠１３０の間隔よりも同じか少し長めと設定しておくことと、木製ルーバー１６０の材質である木材の変形容易な特性が作用して、きつめに嵌め込むだけで、木製ルーバー１６０をブラケット１４０に固定することができるとともに、図５（Ｄ）、図６（Ｄ）に示すように、木製ルーバー１６０と縦枠１３０との間の長手方向の隙間が発生しなくなる。
【００４４】
このように、ブラケット１４０と縦枠１３０とを隙間なく、かつ、ブラケット１４０が外部から見えないように、ブラケット１４０を縦枠１３０に取り付けることができるので、金属枠である縦枠１３０と木製ルーバー１６０との一体感を実現することができて意匠的に非常に好ましい。たとえば、無垢のスギ材等で木製ルーバー１６０を構成し、この木
製ルーバー１６０の色彩にマッチする色彩で金属製の縦枠１３０を塗装することにより、上述した一体感がさらに高まり、縦枠１３０と木製ルーバー１６０とでより一層の一体感を実現することができる。
【００４５】
このようにして、木製ルーバー１６０をブラケット１４０に取り付けた後は、ブラケット１４０が容易に矢示Ｒの逆方向へ回転（自転）することを回避することができ、より一層、ブラケット１４０を縦枠１３０に強固に取り付けることができる。
これらのブラケット挿入ステップ、ブラケット回転ステップおよび木製ルーバー装着ステップからなる一連の作業を、必要な木製ルーバー１６０の分だけ、縦方向に繰り返して住宅室内用構造体１００の縦枠１３０に木製ルーバー１６０を取り付ける。従って、木製ルーバー１６０が必要ない部分（木製ルーバー１６０の設置間隔が開いても構わない部分）に対応する縦枠１３０にはブラケット１４０は装着されておらず縦枠１３０の縦長の穴１３２だけが見えている。この場合には、この見えている縦長の穴１３２を縦枠１３０と同質に見えるスペーサ等で塞ぐことも好ましい。
【００４６】
なお、先に、必要なブラケット１４０を全て縦枠１３０にまとめて取り付けてしまい（ブラケット挿入ステップおよびブラケット回転ステップを実行）、その後にブラケット１４０が取り付けてある箇所にまとめて木製ルーバー１６０を取り付ける（木製ルーバー装着ステップを実行）ようにしても、構わない。
以上のようにして、本実施の形態に係るブラケット１４０によると、金属枠である縦枠１３０と木製ルーバー１６０との一体感を実現しつつ、複雑でコストアップに繋がる部材を左右の縦枠に設けることを必要としないで、簡易で安価な木製ルーバー取り付け構造を提供することができる。そして、このような木製ルーバー取り付け構造を用いた住宅室内用構造体１００を提供することができる。
【００４７】
＜第１の変形例＞
以下に、図７を参照して、上述した住宅室内用構造体１００についての変形例（第１の変形例）について説明する。この変形例は、上述した本実施の形態に係る住宅室内用構造体１００の変形例であって、ブラケット１４０により縦枠１３０に木製ルーバー１６０を取り付けている点は同じである。このため、それらについての詳細な説明はここでは繰り返さない。
【００４８】
図７（Ａ）は、住宅の室内空間の一部を仕切りプライベートな半個室のような空間（Ｒｏｏｍ  ｉｎ  Ｒｏｏｍ）を実現する、上述した住宅室内用構造体１００ではなく、部屋内に設置される家具に近い構造体である収納構造体２００を示す。図７（Ｂ）も、上述した住宅室内用構造体１００ではなく、部屋内に設置される移動容易な衝立に近い構造体である移動構造体３００を示す。図７（Ｃ）も、上述した住宅室内用構造体１００ではなく、部屋内に設置されるパーティションに近い構造体である壁面構造体４００を示す。
【００４９】
いずれの収納構造体２００、移動構造体３００および壁面構造体４００も、縦枠１３０に上述したブラケット１４０（図示しない）を用いた木製ルーバー取り付け構造を採用している。
以上のようにして、上述したブラケット１４０を用いて、金属枠である縦枠１３０と木製ルーバー１６０との一体感を実現しつつ、複雑でコストアップに繋がる部材を左右の縦枠に設けることを必要としないで、簡易で安価な木製ルーバー取り付け構造を用いた構造体である収納構造体２００、移動構造体３００および壁面構造体４００を提供することができる。
【００５０】
なお、収納構造体２００、移動構造体３００および壁面構造体４００のいずれも棚板２１０、棚板３１０および棚板４１０を備えるが、これらは、縦枠１３０の縦長の穴１３２にブラケット１４０またはブラケット１４０に代わる棚取付部材を設けて、ブラケット１４０または棚取付部材に棚板２１０、棚板３１０および棚板４１０を取り付けている。
＜第２の変形例＞
以下に、図８を参照して、上述したブラケット１４０についての変形例（第２の変形例）について説明する。この変形例は、上述した本実施の形態に係るブラケット１４０の変形例であって、以下に説明する以外の構造（たとえば縦枠１３０の構造を含む、開口なし
壁面１１０と開口あり壁面１２０のユニットの構造）は同じである。このため、それらについての詳細な説明はここでは繰り返さない。
【００５１】
本変形例に係るブラケット５４０は、上述した木製ルーバー１６０とは一部の構造が異なる木製ルーバー５６０を縦枠１３０に対して斜めに取り付けることができる構造上の特徴を備える。取付構造は基本的に上述した図５および図６に示す手順と同じであるため（木製ルーバー装着ステップにおいてブラケット５４０の上方から鉛直下方ではなく斜め下方へ木製ルーバー５６０を降下させる点が異なる）、それらについての詳細な説明はここでは繰り返さない。
【００５２】
また、木製ルーバー５６０は、上述した木製ルーバー１６０の切り欠き１６２の左右端面を面取りした凹部５６４を備える切り欠き５６２を備える点のみが木製ルーバー１６０と異なり、それ以外は同じであるため、それらについての詳細な説明はここでは繰り返さない。
なお、木製ルーバー１６０を縦枠１３０に対して斜めに取り付ける他の手段としては、木製ルーバーの底面に底面に対してに斜めに切り込みを設ける手段がある。
【００５３】
図８（Ａ）は図４（Ｂ）に対応するブラケット５４０の斜視図であって、図８（Ｂ）は図５（Ｄ）に対応するブラケット５４０を縦枠１３０に取り付けて木製ルーバー１６０を縦枠１３０に取り付ける場合の手順を示す側面図であって、図８（Ｃ）は図６（Ｄ）に対応するブラケット５４０を縦枠１３０に取り付けて木製ルーバー１６０を縦枠１３０に取り付ける場合の手順を示すの斜視図（図８（Ｂ）の斜視図）である。
【００５４】
図８（Ａ）に示すように、本変形例に係るブラケット５４０は、第１の長方形を含む平面（平板５４２であって平板１４２に対応）と第２の長方形を含む平面（平板１４４）とは交差する。
このように平板５４２と平板１４４とが同一平面上になく交差するためには、平板５４２と平板１４４とをそれらの境界面近傍で（ただし凹部１４８は平板１４４に存在するように）切れ目を入れて捻ることにより実現したり（捻りタイプ）、図８（Ａ）の分解図に示すように、凹部１４８は平板１４４に存在するように第１の長方形を含む平面（平板５４２）と第２の長方形を含む平面（平板１４４）とを切断して、平板５４２側の切断面５５２に丸穴５４２Ａと平板１４４側の切断面５４４に丸棒５４４Ａとを設けて、平板５４２と平板１４４とが相対的に回動可能なように丸穴５４２Ａに丸棒５４４Ａを嵌合させて実現したり（回動タイプ）する。なお、丸穴５４２Ａと丸棒５４４Ａとのクリアランスを調整したり、木製ルーバー１６０の長手方向長さを縦枠１３０の間隔よりも長めにする度合いを大きく設定したりして（木製ルーバー５６０を縦枠１３０間で突っ張らせて）、木製ルーバー５６０が容易に回動しないようにすることが好ましい。
【００５５】
このようなブラケット５４０（捻りタイプおよび回動タイプのいずれも）は、このブラケット５４０を９０度まで矢示Ｒ方向に回転（自転）させて凹部１４８を厚みＴ（０）部分に嵌合させる点は上述した実施の形態と同じである。この場合において、第２の長方形５４０Ｂの第１の長方形５４０Ａ側の側辺端面１４４Ａが、縦長の穴１３２よりも上方位置における縦枠１３０の内壁面に当接されるとともに、第１の長方形５４０Ａの第２の長方形５４０Ｂ側の側辺端面１４８Ａが、縦長の穴１３２よりも下方位置における縦枠１３０の外壁面に当接されるために、ブラケット１４０を縦枠１３０にさらに安定的に固定することができる点も上述した実施の形態と同じである。
【００５６】
このように、ブラケット５４０を縦枠１３０に取り付けると、縦枠１３０から突出部５５６の部分は平板１４４と同じく傾斜なく鉛直方向を向いているのに対して、平板５４２は平板１４４から捻れて傾斜して鉛直方向を向いていない。上述した木製ルーバー１６０をそのまま、縦枠１３０に取り付けたブラケット５４０に取り付けようとしても、突出部５５６が木製ルーバー１６０の切り込み１６２に入らない。このような不具合を解決するために、木製ルーバー１６０の長手方向の寸法を突出部５５６の長さの２倍（左右分）短くしてブラケット５４０に木製ルーバー１６０を取り付けることが考えられる。しかしながら、このようにしてブラケット５４０に木製ルーバー１６０を取り付けても構わないが、木製ルーバー１６０と縦枠１３０との間の隙間が発生してしまい、縦枠１３０と木製ル
ーバー１６０との一体感が損なわれてしまう。
【００５７】
そのため、このような一体感が損なわれるという不具合を解決するために、木製ルーバー５６０は、上述した木製ルーバー１６０の切り欠き１６２の左右端面において、この突出部５５６に対応する部分の長手方向寸法を面取りした凹部５６４を備える。このように凹部５６４を備えた木製ルーバー５６０を用いることにより、木製ルーバー５６０を斜めに取り付けても木製ルーバー１６０と縦枠１３０との間の隙間が発生しないので、縦枠１３０と木製ルーバー１６０との一体感を実現させることができて意匠的に非常に好ましい。
【００５８】
以上のようにして、本変形例に係るブラケット５４０によると、金属枠である縦枠１３０と木製ルーバー５６０との一体感を実現しつつ、複雑でコストアップに繋がる部材を左右の縦枠に設けることを必要としないで、簡易で安価で、かつ、木製ルーバーを斜め取り付け可能または斜め角度調整可能に取り付け可能な木製ルーバー取り付け構造を提供することができる。そして、このような木製ルーバー取り付け構造を用いた住宅室内用構造体１００を提供することができる。
【００５９】
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
たとえば、木製ルーバー１６０を縦枠１３０に対して斜めに取り付けるさらに他の手段としては、縦枠１３０に縦長の穴１３２を設ける場合に、上述したように縦枠１３０の略四角柱形状の長手方向の外形線（床面に対する垂線）と縦長の穴１３２の長辺とを平行に設けるのではなく、縦枠の略四角柱形状の外形線に斜めに縦長の穴を設けるようにしても構わない。この斜めに設けた縦長の穴にブラケット１４０を取り付けて、ブラケット１４０に木製ルーバー１６０を取り付ける取付構造とする。このような取付構造であると、ブラケット５４０ではなく、簡易な構造で強度の高いブラケット１４０を用いることができ好適である。
【産業上の利用可能性】
【００６０】
本発明は、複雑でコストアップに繋がる部材を左右の縦枠に設けることを必要としない木製ルーバー取り付け構造に好適であり、金属枠と木製ルーバーとの一体感を実現できる木製ルーバー取り付け構造に特に好適である。
【符号の説明】
【００６１】
１００  住宅室内用構造体
１３０  縦枠
１４０  ブラケット
１６０  木製ルーバー
２００  収納構造体（第１の変形例）
３００  移動構造体（第１の変形例）
４００  壁面構造体（第１の変形例）
５６０  木製ルーバー（第２の変形例）
【図１】
0006389160.tif 000002
【図２】
0006389160.tif 000003
【図３】
0006389160.tif 000004
【図４】
0006389160.tif 000005
【図５】
0006389160.tif 000006
【図６】
0006389160.tif 000007
【図７】
0006389160.tif 000008
【図８】
0006389160.tif 000009